(57)【要約】【課題】  部材の取り付けが簡単かつ正確にでき、寸法の異なる多種類のタイルの取り付けに対応可能で、スピーディに正確なタイル貼りができ、地震等の揺動乃至振動を良好に吸収し、タイルの損傷を回避できること。【解決手段】  建物駆体１から突出させ、断熱材を貫通させた多数の埋込ボルト２に、縦向きに所定横方向間隔で複数の取付基板４を取り付け、その取付基板４にタイル受け片５等を所定の縦方向間隔で取り付け、そのタイル受け片５等にタイル６を取り付ける。タイル受け片５等は、取付面４ｂに定長さ方向間隔で配した係止穴４ｂ１に上部フック片５ａ１及び下部フック片５ａ２等により取り付け、タイル６は、タイル受け片５等に、上辺は、係合上板６ｂの前面をタイル受け片５の下向き係合片５ａ４に当接係合させ、下辺は係合溝６ａにタイル受け片５の上向き係合片５ａ３係合させて横方向スライド自在とする。【選択図】  図１
2006328823.tif 000002
【特許請求の範囲】
【請求項１】
建物駆体の表面に所定間隔で縦向きに取り付ける複数の取付基板であって、多数の係止手段を少なくとも長さ方向には定間隔で配した取付面を備え、かつ該取付面の両側に建物駆体の表面に直接又は間接に取り付けるための取付脚部を備えた取付基板と、
該取付基板に、その取付面の係止手段に結合するための結合片を備えたタイル受け片であって、タイルを支持すべくその係合部に横方向スライド自在に係合するための係合片を備えたタイル受け片と、
該タイル受け片の係合片に横方向スライド自在に係合し得る係合部を備えたタイルとで構成したタイル貼り壁構造。
【請求項２】
前記係止手段を前記取付面に開口した係止穴に構成し、該係止穴を、該取付面に、縦横に、かつ少なくとも長さ方向には定間隔で配列し、前記結合片を、前記取付面の任意の係止穴に係止するフック片に構成した請求項１のタイル貼り壁構造。
【請求項３】
前記係止穴に、その両側縁から各々背後側に向かって延びる脚部と、両脚部の後端間を繋ぐ押出片本体とからなる押出片を構成した請求項２のタイル貼り壁構造。
【請求項４】
前記係合片を、タイルの下部に係合溝として構成した係合部に横方向スライド自在に係合すべく立ち上げた上向き係合片と、タイルの上部に背面側に沿って立ち上げた係合上板として構成した係合部の前面に横方向スライド自在に係合すべく垂下した下向き係合片とで構成した請求項１、２又は３のタイル貼り壁構造。
【請求項５】
前記係合片を、タイルの背面に横向きあり溝として構成した係合部に横方向スライド自在に係合すべく斜め上向きに立ち上げた斜上係合片に構成した請求項１、２又は３のタイル貼り壁構造。
【請求項６】
前記取付基板の取付面の前面とタイルの背面との間に緩衝材を介在させた請求項１、２、３、４又は５のタイル貼り壁構造。
【請求項７】
前記タイルの裏面と前記取付基板の取付面との間にスポット的に弾性接着剤を配して該タイルと該取付基板とを弾力的に結合した請求項１、２、３、４又は５のタイル貼り壁構造。
【請求項８】
前記取付基板の背後に弾性接着剤の過剰流出防止用のカバー部材を配した請求項７のタイル貼り壁構造。
【請求項９】
前記タイル受け片と取付基板との間に、該タイル受け片の外力による上下動を防止する上下動防止手段を施した請求項１、２、３、４、５、６、７又は８のタイル貼り壁構造。
【発明の詳細な説明】
【技術分野】
【０００１】
本発明は、建物の外壁面又は内壁面を構成するタイル貼り壁構造、特にこれを配した建物が地震等による揺動又は振動を受けた際に、その揺動等を吸収してタイルの割れや剥離による落下を防止でき、かつ寸法の異なる種々のタイルに容易に対応可能であり、加えて施工の際には取り付けるタイルの位置決めを正確に行うことができると共に、簡単かつスピーディーに取り付けることができるタイル貼り壁構造に関するものである。なおこの明細書中及び特許請求の範囲中で、タイルの語は、文字通りのタイルの外、同様に建物の内外壁に外装材として用いることのある板状の石材その他の部材をも含むものとする。
【背景技術】
【０００２】
この種の技術には、本発明者が提案した特許文献１のタイル貼りの施工方法およびその建築物並びに特許文献２のタイル貼り壁構造がある。
【０００３】
その内、特許文献１で提案した技術は、木造建築物の内外壁の施工面に接着剤を塗布し、その上にネット又はラスアミを設ける工程と、次に立骨を設け、かつ立骨の凹所にタイルを貼る工程と、貼られたタイル間に目地を施す工程とでタイルを貼って行くタイル貼りの施工方法及びこの施工方法で構成された建築物である。
【０００４】
従って該特許文献１の技術によれば、施工面に取り付けるタイルは、立骨によって位置決めされ、かつ施工中のダレを防止すべく、その鉛直荷重が受け止められるようになっている。そのため、この技術の出現以前に課題となっていた施工中のタイルのダレの問題を解決し、かつ木造建築物の外装としてタイルを用いる場合の躯体に掛かる過荷重問題をも解決したものであり、その点で非常に優れたものであるといえる。
【０００５】
しかし、この技術では、施工性を考えると、前記立骨は、その一枚のサイズをできるだけ大きくするのが好ましいが、そうすると運搬・現場管理コストが若干嵩むこととなる難点がある。また建物が地震等の揺動乃至振動を受けた際に、タイルの割れや剥離による落下を防ぐ面では、これ以前の圧着貼り工法に比べると大幅に改善されたが、前記立骨は下地板を介して建物駆体と固く結合しており、タイルにも建物の受けた地震の振動等を殆どそのまま伝えてしまうという課題も残っているといわざるを得ない。
【０００６】
また特許文献２で提案した技術は、建築物の施工壁面に下地を構成し、その下地上に、タイルの下端を位置決めしつつ支持する支持突部をその配列予定に合わせて突設すると共に、上下の支持突部間に網状開口結合部を構成した薄板製の位置決めパネルを固設し、該位置決めパネルの支持突部に下端を載せつつその前面にタイルを接着したタイル貼り壁構造である。
【０００７】
従って該特許文献２の技術によれば、位置決めパネルの前面に配したタイルは、支持突部でその下端が保持されることにより正確な位置決めが確保され、更に施工時のダレを防止できるものであり、加えて該タイルを取り付けるための接着剤が、該位置決めパネルの網状開口結合部の網に絡むことで、その確実な接着が確保されることになるものである。また該位置決めパネルは、これに開口した横向きの長孔とビスを用いて下地及び建物駆体に固定するものであるが、地震等の揺動乃至振動があった場合には、該長孔の範囲でその揺動乃至振動を吸収することが可能となるものである。それ故、その際に一般に生じるタイルの割れや剥離による落下を防止することができるものである。
【０００８】
この特許文献２の技術によれば、一枚の位置決めパネルに以上の全ての機能を持たせたものであるため、前記特許文献１の立骨によるタイルの支持構造に比べて、タイルの取付工程を短縮することができる。また該位置決めパネルは取り扱い易い適当なサイズに構成することが可能であり、そのため前記立骨を用いた構成に比べて運搬費や現場管理コストを減少させることができる。
【０００９】
この特許文献２の技術は、以上のように施工性、安全性及びコスト面に於いて、非常に優れたものである。しかし、現在、海外からのタイル輸入が大幅に増えており、国内も含めると、その種類は数千を越える程となっているが、その構成上、前記位置決めパネルは一種類のそれで全てのタイルの取り付けに対応することができるものではない。そして該位置決めパネルを全てのタイルの寸法形状に対応して構成することは不可能であり、それ故、この特許文献２の技術では、事実上、使用可能なタイルの種類が限定されざるを得ないこととなる。
【００１０】
【特許文献１】特公平０６−２３４８３号公報
【特許文献２】特開２００２−２５０１１１号公報
【発明の開示】
【発明が解決しようとする課題】
【００１１】
本発明は、前記特許文献１及び２の利点を生かし、容易かつスピーディに正確に位置決めしたタイル貼りが可能であり、地震等の揺動乃至振動を良好に吸収してタイルの割れや落下を回避することができ、更にこれらを構成する部材の取付が僅かの位置決め作業により正確に行われ得るものであり、かつ寸法の異なる多種類のタイルの取付に対応可能であるタイル貼り壁構造を提供することを解決の課題とする。
【課題を解決するための手段】
【００１２】
本発明の１は、建物駆体の表面に所定間隔で縦向きに取り付ける複数の取付基板であって、多数の係止手段を少なくとも長さ方向には定間隔で配した取付面を備え、かつ該取付面の両側に建物駆体の表面に直接又は間接に取り付けるための取付脚部を備えた取付基板と、
該取付基板に、その取付面の係止手段に結合するための結合片を備えたタイル受け片であって、タイルを支持すべくその係合部に横方向スライド自在に係合するための係合片を備えたタイル受け片と、
該タイル受け片の係合片に横方向スライド自在に係合し得る係合部を備えたタイルとで構成したタイル貼り壁構造である。
【００１３】
本発明の２は、本発明の１のタイル貼り壁構造に於いて、前記係止手段を前記取付面に開口した係止穴に構成し、該係止穴を、該取付面に、縦横に、かつ少なくとも長さ方向には定間隔で配列し、前記結合片を、前記取付面の任意の係止穴に係止するフック片に構成したものである。
【００１４】
本発明の３は、本発明の２のタイル貼り壁構造に於いて、前記係止穴に、その両側縁から各々背後側に向かって延びる脚部と、両脚部の後端間を繋ぐ押出片本体とからなる押出片を構成したものである。
【００１５】
本発明の４は、本発明の１、２又は３のタイル貼り壁構造に於いて、前記係合片を、タイルの下部に係合溝として構成した係合部に横方向スライド自在に係合すべく立ち上げた上向き係合片と、タイルの上部に背面側に沿って立ち上げた係合上板として構成した係合部の前面に横方向スライド自在に係合すべく垂下した下向き係合片とで構成したものである。
【００１６】
本発明の５は、本発明の１、２又は３のタイル貼り壁構造に於いて、前記係合片を、タイルの背面に横向きあり溝として構成した係合部に横方向スライド自在に係合すべく斜め上向きに立ち上げた斜上係合片に構成したものである。
【００１７】
本発明の６は、本発明の１、２、３、４又は５のタイル貼り壁構造に於いて、前記取付基板の取付面の前面とタイルの背面との間に緩衝材を介在させたものである。
【００１８】
本発明の７は、本発明の１、２、３、４又は５のタイル貼り壁構造に於いて、前記タイルの裏面と前記取付基板の取付面との間にスポット的に弾性接着剤を配して該タイルと該取付基板とを弾力的に結合したものである。
【００１９】
本発明の８は、本発明の７のタイル貼り壁構造に於いて、前記取付基板の背後に弾性接着剤の過剰流出防止用のカバー部材を配したものである。
【００２０】
本発明の９は、本発明の１、２、３、４、５、６、７又は８のタイル貼り壁構造に於いて、前記タイル受け片と取付基板との間に、該タイル受け片の外力による上下動を防止する上下動防止手段を施したものである。
【発明の効果】
【００２１】
本発明の１のタイル貼り壁構造によれば、建物駆体の内外壁の表面に取付基板を正確に位置決めして直接又は間接に取り付ければ、その取付面に少なくとも長さ方向に定間隔で構成してある係止手段を利用することにより、タイルの寸法に合わせるべく所定ピッチで、正確にタイル受け片を配設することが可能である。即ち、タイル受け片の位置決めは、予め取付基板の正確な位置決めがしてあれば、正確かつ作業性良好に行えるものである。
【００２２】
また以上のように、取付基板の取付面に少なくとも長さ方向には定間隔で配した係止手段を利用してタイル受け片の取付位置を自由に設定できるため、種々の寸法のタイルの取付に容易に対応することが可能となる。タイル受け片をタイル取付領域の各部位毎に対応する間隔で取り付けることにより、寸法の異なる複数種類のタイルを取り付けることも可能である。
【００２３】
タイルは、タイル受け片に係合することで、正確に位置決めされつつ取り付けられるものであるため、熟練を要せずに正確な位置決めと確実な取付とを行うことができる。また
タイルは、このようにタイル受け片によってのみその鉛直荷重その他の荷重が支持される完全な乾式の技術であるため、該タイル受け片の強度を必要なレベルに設定するものとすれば、タイルに掛かる風圧荷重も含めて十分にそれらに対応することができる。
【００２４】
またタイルはタイル受け片で横方向スライド自在に支持されているものであるため、地震等による横方向の揺動又は振動等はこれで吸収することが可能となり、タイルの割れその他の破損の虞を低減することができる。
【００２５】
本発明の２のタイル貼り壁構造によれば、取付基板へのタイル受け片の取り付けが極めて簡単に作業性良好に行えることとなる。
【００２６】
本発明の３のタイル貼り壁構造によれば、タイルと取付基板の間に弾性接着剤を配して該タイルのガタ付きを解消しようとする場合等に、前記押出片を利用して、該取付基板の背後に該弾性接着剤の過剰流出防止用のカバー部材を容易に配することができることになる。
【００２７】
本発明の４及び５のタイル貼り壁構造によれば、簡単な構成で、タイルを確実に支持できると共に、地震等の横揺れの際には、該タイルが横方向にスライド自在に揺動することによりそれを吸収し、その割れ等の損傷を回避することができる。
【００２８】
本発明の６及び７のタイル貼り壁構造によれば、タイルのガタ付きをなくすことができる。
【００２９】
本発明の８のタイル貼り壁構造によれば、タイルのガタ付き防止のために前記取付板の前面とタイルの背後との間に弾性接着剤を装入した場合に、該弾性接着剤が該カバー部材によって該取付板の背後側に際限なく流出することが防止されることになる。
【００３０】
本発明の９のタイル貼り壁構造によれば、取付基板に取り付けたタイル受け片の上下動が防止され、確実なタイルの取付が確保できることになる。
【発明を実施するための最良の形態】
【００３１】
本発明のタイル貼り壁構造は、基本的に、建物駆体の表面に所定間隔で縦向きに取り付ける複数の取付基板と、該取付基板に取り付けるタイル受け片と、該タイル受け片に横方向スライド自在に取り付けるタイルとで構成したものである。
【００３２】
このタイル貼り壁構造は、木造、鉄骨造、ＡＬＣ造又はＲＣ造のいずれもが適用対象となる。従って前記建物駆体はそれらのいずれの駆体もそれとなり得る。またこのタイル貼り壁構造は、多くの場合は建物の外表面に適用されであろうが、内表面に適用することも当然可能である。
【００３３】
前記取付基板は、多数の係止手段を少なくとも長さ方向には定間隔で配した取付面と、その両側の取付脚部とで構成した長尺部材である。この取付基板は防錆処理を施した種々の金属板材又はそのような処理を必要としないステンレススチール等で構成するのが適当である。前記取付面は、長尺帯板状の構成要素であり、前記のように、多数の係止手段が少なくとも長さ方向には定間隔で配されている。
【００３４】
該係止手段は、前記タイル受け片をその結合片を利用して結合するための手段であり、そのような目的を達成できるものであれば特定の構成に限定されない。該係止手段は、該取付面に開口した係止穴に構成し、該係止穴を、該取付面に、縦横に、かつその長さ方向には定間隔で配列する構成とすることができる。該係止穴の横方向に配列する数及び形状共に特定のそれに限定されない。例えば、該係止穴は横長の長方形に構成し、該取付面の横方向には２以上の係止穴を所定間隔で配列し、長さ方向には、これらを一定間隔で該取付面の長さに応じて多数配列する構成とすることができる。
【００３５】
該係止手段は、上記の係止穴の外、例えば、該取付面からその前方にほぼＵ字状に突出する係止環に構成することも可能であり、この場合のその配列も、該係止穴に構成した場合と同様のそれとすれば良い。
【００３６】
前記係止手段を前記係止穴に構成した場合は、前記タイル受け片の後記結合片を前記取付面の任意の係止穴に係止するフック片に構成することができる。より詳細には、該係止穴を、前記のような長方形に構成した場合は、該フック片はその係止穴の下縁に係止することになる。前記係止手段を前記係止環に構成した場合も、該タイル受け片の結合片はほぼ同様の構成とし、かつ同様に係止することができる。
【００３７】
なお前記タイル受け片の結合片は、前記取付基板の取付面に構成される係止手段に対応した構成とすべきものであるから、当然、該係止手段が異なるものに構成されれば、上記のようなフック片には限らず、対応する別の構成となる可能性のあるものである。
【００３８】
また前記係止手段を、前記のような係止穴に構成した場合は、該係止穴に、その両側縁から各々背後側に向かって延びる脚部と両脚部の後端間を繋ぐ押出片本体とからなる押出片に構成することができる。この押出片は、その背後側にカバー部材を配するのに利用することができるものであり、このようにカバー部材を配しておくと、タイルと取付基板との間に弾性接着剤を配して該タイルのガタ付きを解消しようとする場合に、その弾性接着剤が該取付基板の背後側に流出しようとするのを防止することができることになる。
【００３９】
前記取付脚部は、前記のように、前記取付面の両側に構成され、建物駆体の表面に直接又は間接に取り付ける機能を果たすべきものであり、そのような機能を発揮できる限り特定の構成に限定されない。該取付脚部は、例えば、該取付面の両側部から各々背後側に延びる脚板部と、該両脚板部の後端部から、各々該取付面に平行に、かつ外方に張り出す固定板部と、該両固定板部にその長さ方向に沿って定間隔で開口した取付孔とで構成することができる。
【００４０】
該取付脚部を、以上のように構成すると、前記取付面と一体となった取付基板はその端部から見ると、鍔付き帽子の断面形状に類似する形状となる。
【００４１】
前記タイル受け片は、概ね板状のタイル受け片本体に、前記取付基板に取り付けるための結合片と、タイルを支持するための係合片とを備えたものである。上記結合片は、より具体的には、該取付基板の取付面に構成した係止手段に係止するための手段であり、前記したように、係止手段の具体的な構成に対応した構成とする。前記のように、該係止手段を係止穴や係止環に構成した場合は、これに係止し得るフック片に構成する等である。
【００４２】
前記係合片は、より詳細には、タイルを、その係合部に横方向スライド自在に係合することによって支持するための手段であり、該タイルの鉛直荷重及び風圧等によって生じる面に直交する方向の荷重も受ける手段であり、このような機能を有するものである限り、特定の構成に限定されない。
【００４３】
例えば、前記係合片は、前記タイル受け片の下端から若干前方に張り出した張出部の先端に構成することができる。該係合片は、より詳しくは、該張出部の先端から立ち上げた上向き係合片と該張出部の先端から垂下させた下向き係合片とで構成することができる。係合片をこのように構成した場合は、下部に係合溝として構成した係合部を有し、上部に背面側に沿って立ち上がる係合上板として構成した係合部を有するタイルの支持に有効に用いることができる。即ち、前記上向き係合片を、上方に位置するタイルの下部の係合溝に横方向スライド自在に係合させ、かつ前記下向き係合片を、下方に位置するタイル上部の係合上板の前面に横方向スライド自在に係合させ、これらのタイルを、その上下端付近で前記取付基板に配したタイル受け片によって、以上のように、支持することができる。
【００４４】
また例えば、前記係合片は、前記タイル受け片の前面から斜め上向きに立ち上げた斜上係合片に構成することもできる。係合片をこのように構成した場合は、背面に横向きあり溝として構成した係合部を備えたタイルの支持に有効に用いることができる。即ち、該横向きあり溝に前記斜上係合片を横方向スライド自在に係合させ、これによって当該のタイルを、その背後で取付基板に配したタイル受け片によって支持することができる。
【００４５】
本発明のタイル貼り壁構造の適用対象となるタイルには、当然、以上のタイル受け片の係合片で横方向スライド自在に係合し得る係合部を備える必要がある。このタイルの表面形状や寸法は特定のそれに限定されるものではない。該係合部は、上記の条件を満足するため、前記したように、タイルの下端付近に横方向に延びる係合溝として構成し、上端からその背面側に沿って立ち上がる係合上板として構成する等が適当であり、勿論、これ以外にも前記趣旨を満足し得る種々の構成を採用可能である。
【００４６】
本発明のタイル貼り壁構造は、前記取付基板を初めに建物駆体の外表面又は内表面に直接又は間接に取り付けて構成する。これを建物駆体の外表面に適用する場合には、対象の建物が外断熱又は内断熱のいずれの断熱形式を採用するかが問題となるが、いずれを採用する場合であっても適用可能である。外断熱形式を採用する場合は、建物駆体から断熱材を貫通して突出させた棒状の支持手段、例えば、支持ボルトの先端で直接に前記取付基板を固定することができる。これは、前記取付脚部を、例えば、前記のように、脚板部と固定板部と該固定板部に開口した取付孔とで構成した場合には、該取付脚部の取付孔に前記支持ボルトを貫通させ、その内側及び外側に螺合したナットで不陸を調整しつつ締め付け固定することができる。
【００４７】
或いは、上記のような支持ボルトで、断熱材の外面に沿って横胴縁を固定し、該横胴縁の前面に該取付基板を固定することもできる。
【００４８】
いずれにしても、取付基板は、縦向きに固定するものとし、そのとき、その上端又は下端を、設置するタイルの配列に対応させて正確に設定し、かつ横方向には所定間隔で配するものとする。
【００４９】
このように取付基板を建物駆体の表面に直接又は間接に取り付けた後、取付対象のタイルの上下方向の寸法及びその配列に対応させて該取付基板の必要な位置に必要な数のタイル受け片を取り付ける。該タイル受け片は、その結合片で該取付基板の取付面の係止手段に係止する。なお、該係止手段が前記係止穴であり、該結合片が前記フック片である場合には、該フック片を該係止穴の下縁に係止することで容易にタイル受け片を取付基板に取り付けることができるが、この場合は、地震等の際にタイルを支持するこれらのタイル受け片が上下動し、取付基板から離脱する虞もなしとはしない。従ってこのような構成の場合は、該タイル受け片と該取付基板との間に、該タイル受け片の外力による上下動を防止する上下動防止手段を施しておくのが適当である。
【００５０】
上記上下動防止手段としては、例えば、タイル受け片の本体及び取付基板の取付面に相互に対応させて各々開口した下穴及びビスで構成することができ、タイル受け片を取付基板に取り付けた際に、該ビスを上記両下穴に同時にねじ込んで両者を結合固定するようにすることができる。
【００５１】
この後、前記取付基板に配したタイル受け片にタイルを係止する。タイルは、その係合部をタイル受け片の係合片に横方向スライド自在に係合することで取り付ける。前記取付基板の所定の位置に配してあるタイル受け片に、以上のようにして取り付けてゆくだけで、タイルを所定の配列に配列しながら取り付けることができる。そのため取付作業も熟練を要せず、正確な取り付け及び配列が可能となる。
【００５２】
なお、以上のようにタイルを取り付ける際に、該タイルのガタ付きを防止する観点から、前記取付基板の取付面の前面とタイルの背面との間に緩衝材を介在させ、若しくは前記タイルの裏面と前記取付基板の取付面との間にスポット的に弾性接着剤を配して該タイルと該取付基板とを弾力的に結合することとするのが好ましい。
【００５３】
前記緩衝材を介在させる場合は、例えば、予め前記取付基板の取付面の前面に緩衝材を仮止めしておいた上で、タイルの取付作業を行えば、自ずとタイルと取付基板の取付面との間に該緩衝材が介在状態となり、該タイルのガタ付きを防止することができることになる。なお上記緩衝材としては、前記のような機能を果たし得る種々の弾力性を持った部材を自由に採用することができる。
【００５４】
また前記弾性接着剤をタイルの裏面と前記取付基板の取付面との間にスポット的に配する場合は、例えば、タイルの裏面に弾性接着剤を塗布した上で、該弾性接着剤を該取付基板の取付面に押し付けながら、前記したように、タイル受け片に取り付ければ、該弾性接着剤が該取付面の係止手段に絡むこととなり、該タイルと取付基板とは弾性接着剤を介して弾力的に結合し、前記のようなガタ付き防止機能を確保できることとなる。或いは弾性接着剤は、予め前記取付基板の取付面に塗布しておき、その後、タイルを該弾性接着剤に押し付けながらタイル受け片に取り付けるようにすることもできる。この場合も同様に該タイルと取付基板との間に介在する弾性接着剤によりガタ付防止機能を確保できることになる。
【００５５】
なお、前記係止手段が、係止穴のような取付基板の背後に貫通する要素を持っているものである場合には、その背後に弾性接着剤の過剰流出防止用のカバー部材を配するのが適当である。前記したように、係止手段を係止穴に構成した場合は、該係止穴に、その両側縁から各々背後側に向かって延びる脚部と両脚部の後端間を繋ぐ押出片本体とからなる押出片を構成しておくものとすれば、この押出片を利用して、該取付基板の背後側にカバー部材を取り付けることができる。この場合は、該カバー部材は、両面接着剤等で押出片の後面に接着結合することで、該押出片の後面までの間隔で該取付基板の背後に配することができことになる。こうして弾性接着剤のバックアップを行い、背後側への流出を防止することができる。
【００５６】
以上のタイル受け片は、タイル取付領域の最上部では、それより上方には取り付けるべきタイルは存在しないので、上部専用のそれを構成し、タイル取付領域の最下部ではそれより下方には、やはり取り付けるべきタイルは存在しないので、下部専用のそれを構成しておくのが適当である。例えば、上部専用のタイル受け片としては、下部のタイルの上部のみを支持する係合片を備えたものに構成し、下部専用のタイル受け片としては、それより上部のタイルの下部のみを支持する係合片を備えたものに構成する等である。
【００５７】
従って本発明のタイル貼り壁構造によれば、建物駆体の内外壁の表面に取付基板を正確に位置決めして直接又は間接に取り付ければ、前記のように、その取付面に少なくとも長さ方向に定間隔で配してある係止手段を利用することにより、タイルの寸法に合わせて所定間隔で正確にタイル受け片を配設することが可能である。従って、タイル受け片の位置決めは、予め取付基板の正確な位置決めさえしておけば、正確かつ作業性良好に行えるものである。
【００５８】
また以上のように、取付基板の取付面に少なくとも長さ方向に定間隔で配してある係止手段を利用してタイル受け片の取付位置を自由に設定できるため、種々の寸法のタイルの取り付けに容易に対応することが可能となる。タイル受け片をタイル取付領域の各部位毎に取り付けるタイルの高さ方向の寸法に対応する間隔で取り付けておくことにより、各領域毎に寸法の異なる複数種類のタイルを取り付けることも可能である。
【００５９】
本発明のタイル貼り壁構造は、前記のように、タイル受け片によってのみタイルの鉛直荷重その他の荷重を支持する完全な乾式の技術であるため、該タイル受け片の強度を必要なレベルに設定しておけば、タイルに掛かる風圧荷重も含めて十分にそれらに対応することができる。
【００６０】
またタイルはタイル受け片の係合片で横方向スライド自在に支持されているものであるため、地震等による横方向の揺動又は振動等はこれで吸収することが可能となり、それらの割れその他の破損の虞を低減することができる。
【実施例１】
【００６１】
この実施例のタイル貼り壁構造は、外断熱の断熱形式を採用したＲＣ造の建築物に適用した例であり、図１〜図３に示すように、その構成の基本は、建物駆体１から突出させた多数の埋込ボルト２、２…と、断熱材３を貫通した該埋込ボルト２、２…の先端に縦向きに所定横方向間隔で取り付けた取付基板４、４…と、該取付基板４、４…に所定の縦方向間隔で取り付けたタイル受け片５、５…、１５、１５…、２５、２５…と、該タイル受け片５、５…、１５、１５…、２５、２５…に取り付けたタイル６、６…とで構成したものである。
【００６２】
以下にこの実施例のタイル貼り壁構造を施工手順に沿って詳細に説明する。
予め建物駆体１に前記埋込ボルト２、２…を配しておく。該埋込ボルト２、２…は、横方向には、前記取付基板４、４…の横方向の取付間隔に対応させ、かつ縦方向には、該取付基板４、４…の後記取付脚部４ａ、４ａの各固定板部４ａ１に開口した取付孔４ａ２、４ａ２…の縦方向の間隔に対応させて建物駆体１に配する。もっともこれらの埋込ボルト２、２…で支持するタイル６、６…の重量や風圧による荷重その他の荷重を考慮し、それらに十分耐えられるだけの埋込ボルト２、２…を用意しておけば良いので、この実施例では、各固定板部４ａ１に開口した全ての取付孔４ａ２、４ａ２…に対応させて配することはせず、所定数個ごとの間隔で配することとした。また取付基板４、４…の同一高さの部位では、両側の取付脚部４ａ、４ａの各固定板部４ａ１の取付孔４ａ２に固定できるように、一対ずつ配することとした。
【００６３】
またこれらの埋込ボルト２、２…は、その基部にナットをねじ込んだ状態で埋め込み、抜け止めを図ることとする。またその先端側には内側から順にロックナット２ａ、固定ナット２ｂ及び取付ナット２ｃを螺合するものとし、後述するように、これらによって不陸を調整しながら取付基板４を取付固定するものとする。
【００６４】
以上のように埋込ボルト２、２…を配した建物駆体１の該当する領域に断熱材３を配する。該断熱材３の該埋込ボルト２、２…に対応する部位は、予め所定径の円形に打ち抜いておくか、或いはそのまま押し当てて該埋込ボルト２、２…を突き抜けさせるようにして設置する。後者の場合も、後から埋込ボルト２、２…の周囲は円形に切り抜き、この部位に後から断熱樹脂を充填することとする。
【００６５】
この後、該埋込ボルト２、２…を利用して、建物駆体１の外面に、縦向き、かつ横方向所定間隔で取付基板４、４…を取り付ける。予め埋込ボルト２、２…を、対応する位置関係で埋込設置してあるので、取付基板４、４…は、最上端を設計通りに位置決めして取り付ければ、簡単にかつ正確に取付を行うことができる。
【００６６】
該取付基板４は、特に図４(a)、(b)に示すように、中央に位置する取付面４ｂとその両側の取付脚部４ａ、４ａとで構成したステンレススチール製の長尺部材である。上記取付面４ｂは、同図に示すように、長尺帯板状の構成要素であり、横方向に配列した４個の係止穴（係止手段）４ｂ１、４ｂ１…を縦方向に一定間隔で連続して配したものである。各係止穴４ｂ１には、同図に示すように、横長長方形の開口部であり、該各係止穴４ｂ１には、更にその両側縁から各々背後側に向かって延びる脚部と両脚部の後端間を繋ぐ押出片本体とからなる押出片４ｂ２を構成しておくものとする。
【００６７】
更に該取付基板４の取付面４ｂには、特に図４(a)に示すように、その両側部に長さ方向に沿ってタイル受け片５、１５、２５の上下動を防止すべく固定する固定孔（上下動防止手段）４ｂ３、４ｂ３…を連設開口する。このとき各固定孔４ｂ３は、長さ方向に隣り合う前記係止穴４ｂ１、４ｂ１の中間付近でその外側の付近に開口するものとする。
【００６８】
また前記取付脚部４ａ、４ａは、特に図４(a)、(b)に示すように、前記取付面４ｂの両側に構成するものであり、該取付面４ｂの両側部から各々背後側にほぼ直角に延びる脚板部４ａ３と、該両脚板部４ａ３、４ａ３の後端部から、各々該取付面４ｂに平行に、かつ外方に張り出す固定板部４ａ１、４ａ１と、該両固定板部４ａ１、４ａ１にその長さ方向に沿って定間隔で開口した取付孔４ａ２、４ａ２…と、長さ方向に各隣接する取付孔４ａ２、４ａ２間に開口した取付補助孔４ａ４、４ａ４とで構成したものである。
【００６９】
なお該取付脚部４ａ、４ａの両固定板部４ａ１、４ａ１の外側部には、特に図４(b)に示すように、前記脚板部４ａ３と平行に、かつ取付面４ｂ側に立ち上がる補強側板４ａ５を構成してある。
【００７０】
このような取付基板４は、前記のように、建物駆体１の外表面に配列固定された埋込ボルト２、２…に、その取付脚部４ａ、４ａを利用して取付固定する。各埋込ボルト２、２…は、図２に示すように、それに螺合してあるロックナット２ａ及び固定ナット２ｂの螺合状態を調節して不陸を調整し、かつ固定ナット２ｂを適正位置に固定し、その状態で、取付基板４を取り付ける。その両取付脚部４ａ、４ａの固定板部４ａ１、４ａ１に開口してある取付孔４ａ２、４ａ２の内、適正部位のそれに前記埋込ボルト２、２の先端部を挿入状態とし、該固定板部４ａ１、４ａ１の裏面側を該固定ナット２ｂに当接させ、この状態で、該埋込ボルト２、２の先端側に各々前記取付ナット２ｃを螺合して締め付け、図１及び図２に示すように、該固定板部４ａ１、４ａ１を該埋込ボルト２、２を介して建物駆体１に固定する。
【００７１】
なおこの実施例では、前記固定板部４ａ１、４ａ１に設けた取付孔４ａ２、４ａ２…は円形に開口したものとしたが、これらを横長の楕円形に形成しておき、埋込ボルト２ｃとの結合の際に、取付基板４の横方向の調整をし易くすることもできる。
【００７２】
またこの実施例では、該取付基板４の背面側にカバーシート（カバー部材）７を配した状態で、以上のように、埋込ボルト２、２…に取り付けるものとする。該カバーシート７は、図９(a)、(b)に示すように、各係止穴４ｂ１、４ｂ１…の両側縁から背後側に押出状態に構成してある押出片４ｂ２、４ｂ２…を利用し、その押出片本体の背面に両面テープ等で接着することで取り付けておくものとする。
【００７３】
取付基板４、４…の取り付けは、こうして、前記したように、予め埋込固定してある埋込ボルト２、２…を利用して必要な全領域に最上部位置を設計通りに設定しつつ所定の横方向間隔で配設すれば完了である。
【００７４】
この後は、該取付基板４、４…に、タイル６、６…の配列に対応させて所定の高さ方向間隔でタイル受け片５、５…を取り付ける。最下部では下部用のタイル受け片１５、１５…を取り付け、最上部では上部用のタイル受け片２５、２５…を取り付ける。
【００７５】
各タイル受け片５、１５、２５の内、最上部と最下部を除いた各部で使用するタイル受け片５は、図５(a)、(b)、(c)に示すように、概ね長方形板状の受け片本体５ａに、前記取付基板４に取り付けるための一対の上部フック片（結合片）５ａ１、５ａ１及び一対の下部フック片（結合片）５ａ２、５ａ２と、上方のタイル６を支持するための一対の上向き係合片（係合片）５ａ３、５ａ３及び下方のタイル６を支持するための一対の下向き係合片（係合片）５ａ４、５ａ４とを備えたものである。
【００７６】
前記一対の上部フック片５ａ１、５ａ１は、前記取付基板４の取付面４ｂに開口した横方向４個の係止穴４ｂ１、４ｂ１…の内、両側部の二つに係止する位置関係に構成し、前記一対の下部フック片５ａ２、５ａ２は、その二段下の４個の係止穴４ｂ１、４ｂ１…の内、内側の二つに係止する位置関係に構成したものである。
【００７７】
また前記各一対の上向き係合片５ａ３、５ａ３及び下向き係合片５ａ４、５ａ４は、前記受け片本体５ａの下端から前方に張り出した張出部５ａ５の先端に構成する。該上向き係合片５ａ３、５ａ３は、図８(a)に示すように、取付対象のタイル６の下部に構成した係合溝（係合部）６ａにスライド自在に係合し得るように、該張出部５ａ５の先端から立ち上げる。該張出部５ａ５の張出寸法は、該タイル６の係合溝６ａの後内側面からタイル６の後面までの寸法を若干越える寸法とする。該下向き係合片５ａ４、５ａ４は、取付対象のタイル６の上部にその背面側に沿って立ち上げた係合上板（係合部）６ｂの前面にスライド自在に当接係合し得るように、該張出部５ａ５の先端から垂下させる。該係合上板６ｂの厚み寸法は、該係合溝６ａの後内側面からこれを構成したタイル６の後面までの寸法とほぼ同一となっている。
【００７８】
なおこのタイル受け片５の受け片本体５ａには、前記取付基板４に取り付けた際に、その同一高さの一対の固定孔４ｂ３、４ｂ３と相互に一致することとなる位置に一対の固定孔（上下動防止手段）５ａ６、５ａ６を開口しておくものとする。これらの固定孔５ａ６、５ａ６は、図５(a)に示すように、この実施例では、円形に構成したが、若干縦長の楕円形に構成して、高さ方向の調整をし易くすることもできる。
【００７９】
最下部で使用する下部用のタイル受け片１５は、図６(a)、(b)に示すように、概ね長方形板状の受け片本体１５ａに、前記取付基板４に取り付けるための一対の上部フック片（結合片）１５ａ１、１５ａ１及び一対の下部フック片（結合片）１５ａ２、１５ａ２と、上方のタイル６を支持するための一対の上向き係合片（係合片）１５ａ３、１５ａ３とを備えたものである。
【００８０】
前記各一対の上部フック片１５ａ１、１５ａ１及び下部フック片１５ａ２、１５ａ２は、最上部と最下部以外で用いるタイル受け片５の上部フック片５ａ１、５ａ１及び下部フック片５ａ２、５ａ２と全く同様の構成である。また前記上向き係合片１５ａ３、１５ａ３も該タイル受け片５の上向き係合片５ａ３、５ａ３と全く同様の構成であり、張出部１５ａ５の先端から立ち上げたものである。
【００８１】
なおこのタイル受け片１５の受け片本体１５ａには、前記取付基板４に取り付けた際に、その同一高さの一対の固定孔４ｂ３、４ｂ３と相互に一致することとなる位置に一対の固定孔（上下動防止手段）１５ａ４、１５ａ４を開口しておくものとする。これらの固定孔１５ａ４、１５ａ４は、図６(a)に示すように、この実施例では、円形に構成したが、若干縦長の楕円形に構成して、高さ方向の調整をし易くすることもできる。
【００８２】
また最上部で使用するタイル受け片２５は、図７(a)、(b)に示すように、概ね長方形板状の受け片本体２５ａに、前記取付基板４に取り付けるための一対の上部フック片（結合片）２５ａ１、２５ａ１及び一対の下部フック片（結合片）２５ａ２、２５ａ２と、下方のタイル６を支持するための下向き係合片（係合片）２５ａ３とを備えたものである。前記受け片本体２５ａの高さ方向の寸法は、他の二つのタイル受け片５、１５のそれより若干大寸法となっており、それ故及び上部フック片２５ａ１、２５ａ１及び下部フック片２５ａ２、２５ａ２が取付基板４の取付面４ｂの直上直下の係止穴４ｂ１、４ｂ１…に配されるものであるため、該上部フック片２５ａ１、２５ａ１も受け片本体２５ａの上端上ではなく、その上下方向の途中に配されることになっている。
【００８３】
前記各一対の上部フック片２５ａ１、２５ａ１は、前記受け片本体２５ａの上部途中に配置し、前記取付基板４の取付面４ｂに開口した横方向４個の係止穴４ｂ１、４ｂ１…の内の内側の二つに係止する横方向間隔に構成し、前記一対の下部フック片２５ａ２、２５ａ２は、前記受け片本体２５ａの下部途中に配置し、前記４個の係止穴４ｂ１、４ｂ１…の直下の４個の係止穴４ｂ１、４ｂ１…の内の外側の二つに係止する位置関係に構成したものである。
【００８４】
また前記下向き係合片２５ａ３は、前記受け片本体２５ａの上端から前方に張り出した張出部２５ａ５の先端に構成する。該下向き係合片２５ａ３は、該張出部２５ａ５の先端全体から垂下させた構成とし、取付対象の下方のタイル６の上部にその背面側に沿って立ち上げた係合上板６ｂの前面にスライド自在に当接係合し得るものとする。該張出部２５ａ５の張出寸法は、他のタイル受け片５、１５のそれと同様とする。
【００８５】
なおこのタイル受け片２５の受け片本体２５ａには、前記取付基板４に取り付けた際に、その同一高さの一対の固定孔４ｂ３、４ｂ３と相互に一致することとなる位置に一対の固定孔（上下動防止手段）２５ａ４、２５ａ４を開口しておくものとする。これらの固定孔２５ａ４、２５ａ４は若干縦長楕円形として、高さ方向の調整をし易くしてある。
【００８６】
前記のように、前記取付基板４、４…を取り付けた後は、該取付基板４、４…に、タイル６、６…の配列に対応させて所定の高さ方向間隔でタイル受け片５、５…を取り付ける。当然、最下部では下部用のタイル受け片１５、１５…を取り付け、最上部では上部用のタイル受け片２５、２５…を取り付ける。
【００８７】
タイル取付領域の最下部及び最下部以外で用いるタイル受け片５、５…、１５、１５…は、図１及び図２(a)、(b)に示すように、その一対の上部フック片５ａ１、５ａ１、１５ａ１、１５ａ１を、該当する取付基板４の対応する部位で、その取付面４ｂに開口した横方向４個の係止穴４ｂ１、４ｂ１…の内の両側部の二つに係止させ、一対の下部フック片５ａ２、５ａ２、１５ａ２、１５ａ２を、その二段下の４個の係止穴４ｂ１、４ｂ１…の内の内側の二つに係止させ、これによって該取付基板４に取り付ける。
【００８８】
またタイル取付領域の最上部で用いるタイル受け片２５、２５…は、図１及び図２(a)に示すように、その一対の上部フック片２５ａ１、２５ａ１を、該当する取付基板４の対応する部位で、その取付面４ｂに開口した横方向４個の係止穴４ｂ１、４ｂ１…の内の内側の二つに係止させ、一対の下部フック片２５ａ２、２５ａ２を、その二段下の４個の係止穴４ｂ１、４ｂ１…の内の外側の二つに係止させ、これによって該取付基板４に取り付ける。
【００８９】
こうして取付基板４、４…に取り付けたタイル受け片５、５…、１５、１５…、２５、２５…は、この状態で、各々の受け片本体５ａ、１５ａ、２５ａに開口した固定孔５ａ６、１５ａ４、２５ａ４がそれぞれ接合している取付基板４、４…の取付面４ｂの該当する部位の固定孔４ｂ３と表裏一致することとなる。そこで、この時点で、各受け片本体５ａ、１５ａ、２５ａの固定孔５ａ６、１５ａ４、２５ａ４から、取付面４ｂの固定孔４ｂ３に、ねじ込みながら螺旋を形成することができるビスをねじ込んで両者を固定しておくものとする。
【００９０】
この後、前記取付基板４に配したタイル受け片５、５…、１５、１５…、２５、２５…にタイル６、６…を係止する。
【００９１】
タイル６は、この実施例では、図２(a)及び図８(a)、(b)、(c)に示すように、基本的には四辺形板状のそれであるが、その下辺の背後側を半分ほど切り欠き、更にその中央部付近を該下辺の長さ方向に沿って掘り上げて前記係合溝６ａを形成し、他方、その上辺の前部側を下から順に深く二段に切り欠き、上段側を前記係合上板６ｂに形成することとしたものである。該係合上板６ｂは、以上のような構成であるから、タイル６の上部にその背面側に沿って立ち上がった状態である。その前面は滑面となるようにする。
【００９２】
タイル６は、最上部及び最下部以外では、対応するタイル受け片５に取り付ける。その上辺は、図２(a)、図３及び図８(a)に示すように、その係合上板６ｂを該当するタイル受け片５の下向き係合片５ａ４、５ａ４の背後側に装入してその前面を当接係合させ、該タイル６を若干持ち上げながらその下辺の係合溝６ａに該タイル受け片５の上向き係合片５ａ３、５ａ３を進入係合させる。この状態で該タイル６は横方向スライド自在となる。
【００９３】
タイル取付領域の最上部では、図２(a)及び図８(b)に示すように、該当するタイル６の上辺は、その係合上板６ｂを該当するタイル受け片２５の下向き係合片２５ａ３の背後側に装入してその前面を当接係合させる。このタイル６の下辺は、これを若干持ち上げつつその下辺の係合溝６ａに、直下のタイル受け片５の上向き係合片５ａ３、５ａ３を進入係合させる。云うまでもなく、この場合も、この状態で該タイル６は横方向スライド自在となる。
【００９４】
タイル取付領域の最下部では、図２(a)及び図８(c)に示すように、該当するタイル６の下辺は、上辺の係合上板６ｂを直上のタイル受け片５の下向き係合片５ａ４、５ａ４の背後側に装入して若干持ち上げながら、その係合溝６ａに、最下部用のタイル受け片１５の上向き係合片１５ａ３、１５ａ３を進入係合させるものである。この場合も、当然、この状態で該タイル６は横方向スライド自在となる。
【００９５】
タイル６、６…は、それぞれ該当する部位では、以上のようにして、タイル受け片５、１５、２５で取り付けることができ、全タイル取付領域での取り付けが完了すれば取付作業は終了である。
【００９６】
の
以上のタイル６の取付作業は、この実施例では、図３に示すように、予め取付基板４の取付面４ｂの前面に弾性接着剤９をスポット的に塗布した上で行う。こうした上で、タイル６をこれに押し付けつつタイル受け片５、１５、２５に取り付けると、このとき及び上記塗布時に、該取付基板４の取付面４ｂに開口した係止穴４ｂ１、４ｂ１…に該弾性接着剤９が絡んで該取付基板４とタイル６とが弾力的に結合し、タイル６のガタ付きを回避することができる。なお前記のように、前記押出片４ｂ２、４ｂ２…の背面にカバーシート７を接着して、該取付基板４の背後をカバーしてあるため、弾性接着剤９のバックアップが行われ、上記作業時に弾性接着剤９が該取付基板４の背後に流出し、係止穴４ｂ１、４ｂ１…に十分に絡むことができないような問題は生じない。
【実施例２】
【００９７】
この実施例２は、実施例１とタイル受け片の構成のみが異なる例である。タイル受け片の係合片の構成上、タイル取付領域の最上部、最下部及びそれらの間のいかなる領域でも使用可能であり、それ故、この実施例２は、一種類のタイル受け片で構成されるタイル貼り壁構造に関する。この実施例２は、実施例１とはタイル受け片の係合片の構成が異なるので、当然、タイルの係合部の構成も異なる。従ってこれらの点についてのみ述べる。
【００９８】
このタイル受け片３５は、図１１(a)、(b)に示すように、概ね長方形板状の受け片本体３５ａに、前記取付基板４に取り付けるための各一対の上部フック片（結合片）３５ａ１、３５ａ１及び下部フック片（結合片）３５ａ２、３５ａ２と、タイル６を支持するための上下各一対の斜上係合片（係合片）３５ａ３、３５ａ３…と、下端から張り出した下部係合突片（係合片）３５ａ４とを備えたものである。
【００９９】
前記一対の上部フック片３５ａ１、３５ａ１は、前記取付基板４の取付面４ｂに開口した横方向４個の係止穴４ｂ１、４ｂ１…の内、両側部の二つに係止する位置関係に構成し、前記一対の下部フック片３５ａ２、３５ａ２は、その二段下の４個の係止穴４ｂ１、４ｂ１…の同様に外側の二つに係止する位置関係に構成したものである。
【０１００】
また前記上下各一対の斜上係合片３５ａ３、３５ａ３は、前記受け片本体３５ａの上部途中及び下部途中から、文字通り、斜め上向きに突出させたものである。前記下部係合突片３５ａ４は、該受け片本体３５ａの下端から前方に直角に張り出したものである。
【０１０１】
なおこのタイル受け片３５の受け片本体３５ａには、前記取付基板４に取り付けた際に、その同一高さの一対の固定孔４ｂ３、４ｂ３と相互に一致することとなる位置に一対の固定孔（上下動防止手段）３５ａ５、３５ａ５を開口しておくものとする。
【０１０２】
このタイル受け片３５に適合するタイル１６は、図１０に示すように、基本的には四辺形板状であるが、背面上部途中及び下部途中には、前記タイル受け片３５の斜上係合片３５ａ３、３５ａ３…の位置に対応させて、横向きの係合あり溝１６ａ、１６ａを形成し、更に下方の係合あり溝１６ａより下方に、該タイル受け片３５の下部係合突片３５ａ４の位置に対応させて、横向きの係合溝１６ｂを形成したものである。
【０１０３】
従ってこのタイル１６は、タイル取付領域のいずれでも、同様にタイル受け片３５に取り付ける。図１０に示すように、その上下の係合あり溝１６ａ、１６ａに、該タイル受け片３５の上下の斜上係合片３５ａ３、３５ａ３…を挿入し、かつ下方の係合溝１６ｂに該タイル受け片３５の下端の下部係合突片３５ａ４を挿入する。この状態で該タイル１６は横方向スライド自在となり、確実に取り付けられる。なお、この場合、必要に応じて、該係合溝１６ｂに弾性接着剤を充填してタイル１６とタイル受け片３５との結合を強化することもできる。
【０１０４】
なお図１０中、３５ａ６は、タイル受け片３５の固定孔３５ａ５及び取付基板４の取付面４ｂの固定孔４ｂ３にねじ込んだビスである。また８ａはタイル１６、１６間の目地に詰めた目地材、８ｂは、目地材８ａの背後をバックアップするバックアップ材である。
【実施例３】
【０１０５】
この実施例３も、実施例１とタイル受け片の構成のみが異なる例である。ただし、実施例２とは異なり、タイル取付領域の最上部、最下部及びそれ以外の領域で、実施例１と同様にそれぞれ異なる構成のタイル受け片を用いる。即ち、実施例１のタイル受け片５と対応するタイル受け片４５、実施例１のタイル受け片１５と対応するタイル受け片５５及び実施例１のタイル受け片２５と対応するタイル受け片６５と、これらのタイル受け片４５、５５、６５の係合片の構成に対応するタイル２６とに特徴を有し、その他の点は、実施例１と全く同様である。従ってこれらの点についてのみ述べる。
【０１０６】
これらのタイル受け片４５、５５、６５は、各々受け片本体５ａ、１５ａ、２５ａ、上部フック片（結合片）５ａ１、１５ａ１、２５ａ１、下部フック片（結合片）５ａ２、１５ａ２、２５ａ２、固定孔（上下動防止手段）は、実施例１のそれらと全く同様の構成であり、符号も同じものを用いて示す。
【０１０７】
その他の点は、タイル取付領域の最上部及び最下部以外で用いられるタイル受け片４５から順次説明する。このタイル受け片４５は、図１２(a)に示すように、その下端から張り出した張出部４５ａ１を備え、その先端から二つの上向き係合片（係合片）４５ａ２、４５ａ２を折り曲げて立ち上げ、同様に先端の別の部位から二つの下向き係合片（係合片）４５ａ３、４５ａ３を折り曲げて垂下させたものである。なお該張出部４５ａ１は、その張出寸法を、対象とするタイル２６の厚みを若干越えたものとする。
【０１０８】
前記タイル受け片５５は、タイル取付領域の最下部で用いられるものであるが、これは、図１２(c)に示すように、その最下端から張り出した張出部５５ａ１を備え、その先端から二つの上向き係合片（係合片）５５ａ２、５５ａ２を折り曲げて立ち上げ、同様に先端の別の部位から二つの下向き係合片（係合片）５５ａ３、５５ａ３を折り曲げて垂下させたものである。なお該張出部５５ａ１の張出寸法は、タイル受け片４５のそれと全く同様に、対象とするタイル２６の厚みを若干越えたものとする。
【０１０９】
前記タイル受け片６５は、タイル取付領域の最上部で用いられるものであるが、これは、図１２(b)に示すように、その最上端から張り出した張出部６５ａ１を備え、タイル受け片４５、５５のそれらと全く同様に、その先端から二つの上向き係合片（係合片）６５ａ２、６５ａ２を折り曲げて立ち上げ、同様に先端の別の部位から二つの下向き係合片（係合片）６５ａ３、６５ａ３を折り曲げて垂下させたものである。なお該張出部６５ａ１の張出寸法は、タイル受け片４５、５５のそれと全く同様に、対象とするタイル２６の厚みを若干越えたものとする。
【０１１０】
またこの実施例３では、実施例１のタイル６のような係合溝６ａ及び係合上板６ｂ、或いは実施例２のタイル１６のような係合あり溝１６ａ及び係合溝１６ｂ等を必要とせず、図１２(a)〜(c)に示すように、その上辺及び下辺をそのまま係合部として用いることとしたタイル２６を取付対象とする。
【０１１１】
従ってこの実施例３では、タイル取付領域の最下部では、図１２(c)に示すように、タイル２６を、その下辺を、張出部５５ａ１に載置することで、タイル受け片５５に取り付けるものである。この状態で、同図に示すように、二つの上向き係合片５５ａ２、５５ａ２と受け片本体１５ａとでタイル２６の下辺が支持されることになる。
【０１１２】
タイル取付領域の最上部では、図１２(b)に示すように、タイル２６を、その上辺を、二つの下向き係合片６５ａ３、６５ａ３と受け片本体２５ａとの間に挿入することでタイル受け片６５で支持する。
【０１１３】
タイル取付領域の最下部及び最上部以外の領域では、図１２(a)に示すように、タイル受け片４５の張出部４５ａ１の上方では、上方のタイル２６を、その下辺を、該張出部４５ａ１に載置することで、該タイル受け片４５に取り付ける。この状態で、同図に示すように、二つの上向き係合片４５ａ２、４５ａ２と受け片本体５ａとでタイル２６の下辺が支持されることになる。また該タイル受け片４５の張出部４５ａ１の下方では、同図に示すように、下方のタイル２６を、その上辺を、二つの下向き係合片４５ａ３、４５ａ３と受け片本体５ａとの間に挿入することで支持する。
【０１１４】
このとき、またタイル取付領域の最上部、最下部及びそれ以外の領域のいずれの領域のタイル受け片４５、５５、６５でもそれらの上向き係合片４５ａ２、５５ａ２、６５ａ２及び下向き係合片４５ａ３、５５ａ３、６５ａ３がタイル２６、２６間の目地から露出するので、図１２(a)、(b)、(c)に示すように、この実施例３では、側面から見てＣ型の化粧材７０を、該上向き係合片４５ａ２、５５ａ２、６５ａ２及び下向き係合片４５ａ３、５５ａ３、６５ａ３に横方向からスライドさせつつ被覆して、これらを隠すようにしたものである。
【図面の簡単な説明】
【０１１５】
【図１】ＲＣ造の建物駆体に配した取付基板にタイル受け片を取り付けた状態を示す一部切欠正面説明図。
【図２】(a)はＲＣ造の建物駆体に適用した実施例１のタイル貼り壁構造の一部切欠断面説明図、(b)は取付基板に最上部及び最下部以外で使用するタイル受け片を取り付けた状態を示す断面説明図。
【図３】タイルを下方から途中まで取り付けた状態を示す実施例１のタイル貼り壁構造の正面説明図。
【図４】(a)は取付基板の一部切欠正面図、(b)は(a)の平面図。
【図５】(a)は最上部及び最下部以外で使用するタイル受け片の正面図、(b)は(a)の右側面図、(c)は(a)の平面図。
【図６】(a)は最下部で使用するタイル受け片の正面図、(b)は(a)の右側面図。
【図７】(a)は最上部で使用するタイル受け片の正面図、(b)は(a)の右側面図。
【図８】(a)は最上部及び最下部以外で使用するタイル受け片で上方のタイルの下部及び下方のタイルの上部を支持している状態を示す側面説明図、(b)は最上部で使用するタイル受け片で最上部のタイルの上部を支持している状態を示す側面説明図、(c)は最下部で使用するタイル受け片で最下部のタイルの下部を支持している状態を示す側面説明図。
【図９】(a)は背後側にカバーシートを取り付けた状態を示す取付基板の平面図、(b)は背後側にカバーシートを取り付けた状態を示す取付基板の断面説明図。
【図１０】実施例２のタイル貼り壁構造の一部を示す縦断面説明図。
【図１１】(a)は実施例２のタイル受け片の正面図、(b)は(a)の右側面図。
【図１２】(a)は最上部及び最下部以外で使用する実施例３のタイル受け片で上方のタイルの下部及び下方のタイルの上部を支持している状態を示す側面説明図、(b)は最上部で使用する実施例３のタイル受け片で最上部のタイルの上部を支持している状態を示す側面説明図、(c)は最下部で使用する実施例３のタイル受け片で最下部のタイルの下部を支持している状態を示す側面説明図。
【符号の説明】
【０１１６】
１    建物駆体
２    埋込ボルト
２ａ  ロックナット
２ｂ  固定ナット
２ｃ  取付ナット
３    断熱材
４    取付基板
４ａ  取付脚部
４ａ１  固定板部
４ａ２  取付孔
４ａ３  脚板部
４ａ４  取付補助孔
４ａ５  補強側板
４ｂ  取付面
４ｂ１  係止穴（係止手段）
４ｂ２  押出片
４ｂ３  固定孔（上下動防止手段）
５    最上部及び最下部以外用のタイル受け片
５ａ  受け片本体
５ａ１  上部フック片（結合片）
５ａ２  下部フック片（結合片）
５ａ３  上向き係合片（係合片）
５ａ４  下向き係合片（係合片）
５ａ５  張出部
５ａ６  固定孔（上下動防止手段）
６    タイル
６ａ  係合溝（係合部）
６ｂ  係合上板（係合部）
７    カバーシート（カバー部材）
８ａ  目地材
８ｂ  バックアップ材
９    弾性接着剤
１５  下部用のタイル受け片
１５ａ  受け片本体
１５ａ１  上部フック片（結合片）
１５ａ２  下部フック片（結合片）
１５ａ３  上向き係合片（係合片）
１５ａ４  固定孔（上下動防止手段）
１５ａ５  張出部
１６  タイル
１６ａ  係合あり溝
１６ｂ  係合溝
２５  上部用のタイル受け片
２５ａ  受け片本体
２５ａ１  上部フック片（結合片）
２５ａ２  下部フック片（結合片）
２５ａ３  下向き係合片（係合片）
２５ａ４  固定孔（上下動防止手段）
２５ａ５  張出部
３５  タイル受け片
３５ａ  受け片本体
３５ａ１  上部フック片（結合片）
３５ａ２  下部フック片（結合片）
３５ａ３  斜上係合片（係合片）
３５ａ４  下部係合突片（係合片）
３５ａ５  固定孔（上下動防止手段）
３５ａ６  ビス
４５  最上部及び最下部以外用のタイル受け片
４５ａ１  張出部
４５ａ２  上向き係合片（係合片）
４５ａ３  下向き係合片（係合片）
５５  最下部用のタイル受け片
５５ａ１  張出部
５５ａ２  上向き係合片（係合片）
５５ａ３  下向き係合片（係合片）
６５  最上部用のタイル受け片
６５ａ１  張出部
６５ａ２  上向き係合片（係合片）
６５ａ３  下向き係合片（係合片）
７０  化粧材
【図１】
2006328823.tif 000003
【図２】
2006328823.tif 000004
【図３】
2006328823.tif 000005
【図４】
2006328823.tif 000006
【図５】
2006328823.tif 000007
【図６】
2006328823.tif 000008
【図７】
2006328823.tif 000009
【図８】
2006328823.tif 000010
【図９】
2006328823.tif 000011
【図１０】
2006328823.tif 000012
【図１１】
2006328823.tif 000013
【図１２】
2006328823.tif 000014